(57)【要約】【課題】入力点変更が発生した場合に、プラント解析データの表示処理を円滑化する。【解決手段】プラントより収集されたプラントデータを読み込むプラントデータ読込み手段３と、プラントデータの各信号の種別、入出力レンジおよび単位を示す入力点情報データを記憶する入力点情報データファイル４と、プラントデータ読込み手段にて読み込まれたプラントデータに前記入力点情報データファイル内の対応する情報を付加しプラント解析データとしてプラント解析データファイル３３に保存する入力点情報付加手段３１と、プラント解析データファイルに基づいて表示データを作成し出力装置６に出力するデータ表示手段５と、入力点情報データファイル４を変更する入力点情報変更手段３５とを具備する。【選択図】図８
2004070969.tif 000002
【特許請求の範囲】
【請求項１】
　プラントより収集されたプラントデータを読み込むプラントデータ読込み手段と、前記プラントデータの各信号の種別、入出力レンジおよび単位を示す入力点情報データを記憶する入力点情報データファイルと、前記プラントデータ読込み手段にて読み込まれたプラントデータに前記入力点情報データファイル内の対応する情報を付加しプラント解析データとしてプラント解析データファイルに保存する入力点情報付加手段と、前記プラント解析データファイルに基づいて表示データを作成し出力装置に出力するデータ表示手段と、前記入力点情報データファイルを変更する入力点情報変更手段とを具備することを特徴とするプラントデータ解析装置。
【請求項２】
　プラントより収集されたプラントデータを読み込むプラントデータ読込み手段と、前記収集されたプラントデータの各信号の種別、入出力レンジおよび単位を示す入力点情報データを変更するごとに順次記憶する入力点情報データファイルと、この入力点情報データファイルの各入力点情報データの有効期間を記憶する入力点変更履歴データファイルと、このプラントデータ読込み手段にて読み込まれたプラントデータのデータ収集時刻および前記入力点変更履歴データファイルに基づいて、当該プラントデータに該当する入力点情報データを判定する入力点変更履歴判定手段と、この入力点変更履歴判定手段によって判定された入力点情報データを前記入力点変更履歴データファイルから抽出し、前記プラントデータ読込み手段にて読み込まれたプラントデータに付加してプラント解析データとしてプラント解析データファイルに保存する入力点情報付加手段と、前記プラント解析データファイルに基づいて表示データを作成し出力装置に出力するデータ表示手段とを具備することを特徴とするプラントデータ解析装置。
【請求項３】
　対話操作により情報の入出力を行う対話装置と、この対話装置からの要求によりグラフ表示対象の前記プラント解析データに付加された入力点情報データを前記プラント解析データファイルから読み込み、前記対話装置に入力点情報の一覧表示を行う入力点情報選択手段と、一覧表示された入力点情報から選択された前記対話装置からの選択情報により、グラフに表示する信号の種別を設定する表示ポイント設定手段とを具備することを特徴とする請求項１または２記載のプラントデータ解析装置。
【発明の詳細な説明】
【技術分野】
【０００１】
　本発用は、プラントから収集されたプラントデータを解析処理するプラントデータ解析装置に関する。
【背景技術】
【０００２】
　プラント試験時や異常時等のプラントデータの収集を目的として、プラントデータ収集装置が設置されている。このプラントデータ収集装置にて収集されたプラントデータは、プラント収集装置自体で使用される場合と、磁気テープ装置（ＭＴ）等の外部記憶媒体または伝送等によりプラントデータ解析装置に取り込んで使用される場合とがある。このプラントデータは、試験時や異常時の解析に使用されるため、１０ミリ秒等の高速のサンプリング周期で収集され、データ構成も高速な収集処理に対応するため全信号のデータが時刻順にカウント値で収録されている。
【０００３】
　図２３は、プラントデータ解析装置１のブロック構成を示すもので、プラントデータ収集装置にて収集されたプラントデータを、ＭＴ等の外部記憶媒体または伝送等により読み込み、プラント解析データファイル２に保存するプラントデータ読込み部３と、プラントデータの各信号の種別、入出力レンジおよび単位等の入力点情報データを格納する入力点情報データファイル４と、プラント解析データファイル２および入力点情報データファイル４に基づいてグラフ表示等を行うデータ表示部５と、対話操作やグラフ表示等を行う入出力端末６から構成されている。
【０００４】
　図２４は、プラントデータ収集装置により収集されたプラントデータをプラントデータ解析装置で読み込んで作成したプラント解析データファイル２のデータ構成例を示したもので、データ名称ａとデータ収集開始時刻ｂおよび信号順のカウント値ｃがサンプリンク周期の収集時刻ごとに順次収録されている。ここで、256点（ｉ）の信号が10ミリ秒（Δｔ）のサンプリング周期で20分間（ｊΔｔ）収集されている場合を例にすると、１信号あたり12万個のデータとなり、全信号で3072万個と多量のデータとなる。
【０００５】
　図２５は、入力点情報データフアイル４のデータ構成例を示したもので、信号の入力点名称と入力レンジと出力レンジおよび単位が信号順に収録されている。ここで、出力レンジ 0〜2500 rpmの信号を入力レンジ 0〜10Ｖの電圧で入力し18000 千カウントの分解能のＡ／Ｄ変換器を使用している場合を例にすると、信号のカウント値が14400 カウントの場合、グラフ表示等で使用する信号の工学値（ＥＵ値）は入力点情報を用いて以下の計算式で算出される。
【０００６】
　電圧値＝（14400カウント／ 18000カウント）×10Ｖ＝ 8Ｖ、
　ＥＵ値＝（8Ｖ／10Ｖ）×2500＝2000 rpm
　図２６は、従来のプラントデータ解析装置１のグラフ表示のための対話画面の一例を示したもので、対話画面上の解析データ一覧ｄよりグラフ表示を行うプラント解析データを選択し、グラフ表示を行う出力信号（表示ポイント）ｅに対応した表示スケールｆ等の設定をそれぞれ表示上限値および表示下限値を入力することによって行う。
【０００７】
　図２７は、図２６の対話画面で設定した項目に基づいてグラフ表示を行った表示画面の一例を示したもので、表示信号のポイント名称、単位およびデータ値の時間的変移を示すグラフが表示されている。
【発明の開示】
【発明が解決しようとする課題】
【０００８】
　しかしながら、上記従来技術においては、プラントの構成機器が改良等の工事により変更になった場合、この構成機器の変更に伴った入力点の変更が行われる。この入力点変更が行われた場合、プラントデータ収集装置で収集されるプラントデータに変更が生じるため、入力点情報データも変更される。このため、入力点変更が実施される前に収集したプラント解析データについてグラフ表示等のデータ表示を行う場合には、入力点情報データとプラント解析データに不整合が発生するという第１の問題点があった。
【０００９】
　また、入力点変更が実施される前に収集されたプラントデータをプラント解析装置で読み込んだ場合にも、プラント解析装置内の入力点情報データとの間に不整合が発生するという第２の問題点があった。
【００１０】
　本発明は、上記従来の問題点を解消するためになされたもので、入力点変更が発生した場合にも、過去のプラント解析データのグラフ表示を行うことができるプラントデータ解析装置を提供することを目的とする。
【課題を解決するための手段】
【００１１】
　上記の目的を達成するため、請求項１の発明のプラントデータ解析装置は、プラントより収集されたプラントデータを読み込むプラントデータ読込み手段と、プラントデータの各信号の種別、入出力レンジおよび単位を示す入力点情報データを記憶する入力点情報データファイルと、プラントデータ読込み手段にて読み込まれたプラントデータに入力点情報データファイル内の対応する情報を付加しプラント解析データとしてプラント解析データファイルに保存する入力点情報付加手段と、プラント解析データファイルに基づいて表示データを作成し出力装置に出力するデータ表示手段と、入力点情報データファイルを変更する入力点情報変更手段とを具備することを特徴とする。
【００１２】
　請求項２の発明のプラントデータ解析装置は、プラントより収集されたプラントデータを読み込むプラントデータ読込み手段と、収集されたプラントデータの各信号の種別、入出力レンジおよび単位を示す入力点情報データを変更ごとに順次記憶する入力点情報データファイルと、この入力点情報データファイルの各入力点情報データの有効期間を記憶する入力点変更履歴データファイルと、このプラントデータ読込み手段にて読み込まれたプラントデータのデータ収集時刻および入力点変更履歴データファイルに基づいて、当該プラントデータに該当する入力点情報データを判定する入力点変更履歴判定手段と、この入力点変更履歴判定手段によって判定された入力点情報データを入力点変更履歴データファイルから抽出し、プラントデータ読込み手段にて読み込まれたプラントデータに付加してプラント解析データとしてプラント解析データファイルに保存する入力点情報付加手段と、プラント解析データファイルに基づいて表示データを作成し出力装置に出力するデータ表示手段とを具備することを特徴とする。
【００１３】
　請求項３の発明のプラントデータ解析装置は、対話操作により情報の入出力を行う対話装置と、この対話装置からの要求によりグラフ表示対象のプラント解析データに付加された入力点情報データをプラント解析データファイルから読み込み、対話装置に入力点情報の一覧表示を行う入力点情報選択手段と、一覧表示された入力点情報から選択された対話装置からの選択情報により、グラフに表示する信号の種別を設定する表示ポイント設定手段とを具備することを特徴とする。
【発明の効果】
【００１４】
　本発明のプラントデータ解析装置は、入力点情報データを付加したプラント解析データを作成することにより、入力点変更が発生した場合にも、過去のプラント解析データを任意に使用することができる。
【００１５】
　また、本発明のプラントデータ解析装置は、入力点変更履歴とともに変更入力点情報データを格納することにより、任意の収集時点のプラントデータについて、これに対応した入力点情報データを割り当てることができ、入力点変更が発生した場合にも、任意の過去のプラントデータを支障なく解析処理することができる。
【発明を実施するための最良の形態】
【００１６】
　入力点変更が発生した場合にも、過去のプラントデータ解析データのグラフ表示を行うことができるように、以下のとおり実現した。
【実施例１】
【００１７】
　以下、図面を参照して本発明の実施例を説明する。なお、従来例と共通する部分には同一符号を付して、重複する説明は省略する。　
　図１は、本発明のプラントデータ解析装置の実施例１を示すもので、プラントより収集したプラントデータを読み込むプラントデータ読込み部３と、読み込まれた収集時刻ごとのデータ構成のプラントデータをグラフ表示等に適した信号ごとの時系列データ構成のプラント解析データに変換するプラントデータ構成変換部１１と、変換されたプラント解析データを記憶するプラント解析データファイル１３と、入力点情報データファイル４と、プラント解析データファイル１３および入力点情報データファイル４に基づいてデータ表示を行うデータ表示部５と、入力装置および表示装置等の出力装置からなる入出力端末６とで構成されている。
【００１８】
　次に、本実施例の作用を説明する。プラントデータ読込み部３は、ＭＴ等の外部記憶媒体または伝送等によりプラントより収集したプラントデータを読み込む。読み込まれたプラントデータは、図２に示すように、データ名称と信号のデータから構成されている。信号のデータ構成としては、収集時刻ｔ＋ｋΔｔ（ｋ＝０〜ｊ）における信号１〜信号ｉのデータ列が、時刻順に収録されている。ここで、Δｔは信号のサンプリング周期、ｊはプラント収集時間分の初回を除くサンプリング回数、ｉは収集する信号（の種別＝入力点）の点数を示す。
【００１９】
　プラントデータ構成変換部１１は、図３に示すように、ステップＳ１０１〜Ｓ１０６で、プラントデータ読込み部１からの図２に示すようなデータ構成のプラントデータを上から順に、収集時刻ｔ〜ｔ＋ｊΔｔごとの全信号のデータを読み込み、ステップＳ１０７〜Ｓ１１２で、信号１から信号ｉまで信号ごとに全収集時刻ｔ〜ｔ＋ｊΔｔのデータを時刻順に出力し、プラント解析データとしてプラント解析データファイル１３に保存する。
【００２０】
　プラントデータ構成変換部１１により保存されたプラント解析データファイル１３のデータ構成例を図４に示す。図４に示すように、プラント解析データファイル１３には、各信号の時系列データ、すなわち信号１から信号ｉまで信号ごとに収集時刻ｔ〜ｔ＋ｊΔｔの各データが時刻順に収録されている。
【００２１】
　データ表示部５は、図４に示すプラント解析データファイル１３と、図２に示すプラントデータの各信号１〜ｉに対応する入力点情報が設定された図２５に示すような入力点情報データファイル４に基づいて、グラフ等の表示データを作成し、入出力端末６の表示装置やプリンタ等の出力装置に出力する。
【００２２】
　本実施例では、以上のようにプラントデータの処理が行われるため、グラフ表示等に適した入力点単位の時系列データに変換したプラント解析データを作成することができ、グラフ表示等を高速に行うことができる。
【実施例２】
【００２３】
　図５は、本発明のプラントデータ解析装置の実施例２を示すもので、プラントデータ読込み部３と、読込んだプラントデータを入力点情報データファイル４に基づいてグラフ表示等に適したＥＵ値に変換するプラントデータ変換部２１と、ＥＵ値に変換されたプラント解析データを保存するプラント解析データファイル２３と、このプラント解析データファイル２３および入力点情報データファイル４を用いて入出力端末６にグラフ表示等を行うデータ表示部５とで構成されている。
【００２４】
　次に、本実施の形態の作用を説明する。プラントデータ変換部２１は、図６に示すような処理手順に従って、プラントデータ読込み部３によって読み込まれた図２４に示すようなプラントデータの入力値を、図２５に示す入力点情報データファイル４を参照して、背景技術に示した計算式により表示に適したＥＵ値に変換する。
【００２５】
　すなわち、プラントデータ変換部２１は、プラントデータ読込み部３および入力点情報データファイル４から、ステップＳ２０１〜Ｓ２０３で信号１の入力レンジおよび出力レンジと収集時刻ｔのカウント値を入力し、ステップＳ２０４、２０５でカウント値からＥＵ値を算出する。そして、ステップＳ２０６、Ｓ２０７により上記ＥＵ値の算出処理を全信号について繰り返し、さらにステップＳ２０８、Ｓ２０９により上記ステップＳ２０２〜Ｓ２０７の処理を全時刻ｔ〜ｔ＋ｊΔｔに対して繰り返し、得られたプラント解析データをプラント解析データファイル２３に保存する。
【００２６】
　図７は、プラント解析データファイル２３のデータ構成例を示すもので、各収集時刻ｔ＋ｋΔｔ（ｋ＝０〜ｊ）における信号１〜信号ｉの各ＥＵ値のデータが、時刻順に収録されている。
【００２７】
　データ表示部５は、このプラント解析データファイル２３内のＥＵ値データと入力点情報データファイル４内の単位データにより、グラフ等の表示データを作成し、入出力端末６に出力する。
【００２８】
　本実施例では、以上のようにプラントデータの処理が行われるため、グラフ表示等に適したＥＵ値に変換したプラント解析データを作成することができ、グラフ表示等を高速に行うことができる。
【実施例３】
【００２９】
　図８は、本発明のプラントデータ解析装置の実施例３を示すもので、プラントデータ読込み部３と、読込んだプラントデータに入力点情報データファイル４内の入力点情報データを付加する入力点情報付加部３１と、入力点情報データを付加されたプラントデータをプラント解析データとして記憶するプラント解析データファイル３３と、プラント解析データファイル３３に基づいて入出力端末６にグラフ等のデータ表示を行うデータ表示部５と、入出力端末６からの入力情報により入力点情報データファイル４内の入力点情報データを変更する入力点情報変更部３５とで構成されている。
【００３０】
　次に、本実施例の作用を説明する。入力点情報付加部３１は、図９に示すような処理手順に従って、ステップ３０１でプラントデータ読込み部３からプラントデータを入力し、ステップ３０２で入力点情報データファイル４から入力点情報データを入力し、ステップ３０３で図２４に示すようなプラントデータに、図２５に示すような入力点情報データを付加し、ステップ３０４でプラント解析データとしてプラント解析データファイル３３に保存する。
【００３１】
　図１０に、プラント解析データファイル３３のデータ構成例を示す。図１０において、各収集時刻ｔ＋ｋΔｔ（ｋ＝０〜ｊ）における信号１〜信号ｉの各データが時刻順に収録され、各信号１〜ｉの入力点名称、入力レンジ、出力レンジおよび単位が信号順に収録されている。
【００３２】
　なお、プラントデータに付加される入力点情報データは、当該プラントデータの収集対象のプラント側の入力点の変更に対応して、入出力端末６を介して入力点情報変更部３５によって変更される。
【００３３】
　本実施例では、以上のようにプラントデータに入力点情報を付加したプラント解析データが作成されるため、入力点変更が発生した場合にも、入力点変更前の過去のプラント解析データを任意にグラフ表示等に使用することができる。
【実施例４】
【００３４】
　図１１は、本発明のプラントデータ解析装置の実施例４を示すもので、プラントデータ読込み部３と、プラント側の入力点変更に伴って変更された入力点情報データを順次格納する入力点情報データファイル４１と、入力点情報データファイル４１内の各入力点情報データの有効期間を変更履歴情報として記憶する入力点変更履歴データファイル４３と、プラントデータ読込み部３にて読込んだプラントデータのデータ収集時刻および入力点変更履歴データファイル４１から当該プラントデータに対応した入力点情報データを判定する入力点変更履歴判定部４５と、入力点変更履歴判定部４５の判定結果により入力点変更履歴データファイル４３内の対応する入力点情報データをプラントデータに付加し、プラント解析データとしてプラント解析データファイル４７に保存する入力点情報付加部４９と、プラント解析データファイル４７に基づいて入出力端末６にグラフ等のデータ表示を行うデータ表示部５とで構成されている。
【００３５】
　図１２は、入力点変更履歴データファイル４３のデータ構成例を示すもので、入力点情報データファイル４１に格納されている各入力点情報データに対応して入力点情報データ番号１〜Ｎの有効期間開始年月日ＴＳおよび有効期間終了年月日ＴＥが設定されている。
【００３６】
　次に、本実施例の作用を説明する。入力点変更履歴判定部４５は、図１３に示すような処理手順に従って、ステップＳ４０１でプラントデータ読込み部３からの図３１に示すようなプラントデータよりデータ収集時刻ｔを入力し、ステップＳ４０２、Ｓ４０３で入力点変更履歴データファイル４３より入力点情報データ番号１の有効期間開始年月日ＴＳ１および終了年月日ＴＥ１を入力し、ステップＳ４０４でデータ収集時刻ｔがこの有効期間内かどうかにより番号１の入力点情報データが有効か否かの判定を行い、有効でない場合はステップＳ４０５にて次の入力点情報データ番号の有効期間開始月日ＴＳ２および終了年月日ＴＥ２を入力するための処理を行い、ステップＳ４０４、４０５の有効判定処理を繰り返す。ステップＳ４０５の判定結果が有効である場合は、ステップＳ４０６にて有効判定結果の出た入力点情報データ番号を出力する。
【００３７】
　入力点情報付加部４９は、入力点変更履歴判定部４５よりプラントデータと入力点情報データ番号を入力し、当該入力点情報データ番号に対応する入力点情報データを入力点情報データファイル４１より取り出してプラントデータに付加し、プラント解析データとしてプラント解析データファイル４７に保存する。
【００３８】
　データ表示部５は、入出力端末６からのデータ表示要求により、指定されたプラント解析データをプラント解析データファイル４７より取り出し、グラフ等の表示データに編集して入出力端末６に出力する。
【００３９】
　本実施例では、以上のように処理が行われるため、入力点変更履歴データからプラントデータの収集時刻において有効な入力点情報データを取り出して、プラントデータに付加することにより、入力点変更が発生した場合にも、過去の収集プラントデータを読み込んで解析処理することができる。
【実施例５】
【００４０】
　図１４は、本発明のプラントデータ解析装置の実施例５を示すもので、プラントデータ読込み部３と、サンプリング周期の異なるデータを含むプラントデータから、サンプリング周期に応じて低速プラント解析データおよび高速プラント解析データを作成する周期速度別プラント解析データ作成部５１と、周期速度別プラント解析データ作成部５１によって作成された低速プラント解析データおよび高速プラント解析データを記憶する周期速度別プラント解析データファイル５３と、入力点情報データファイル４と、周期速度別プラント解析データファイル５３および入力点情報データファイル４に基づいてデータ表示を行うデータ表示部５と、入出力端末６とで構成されている。
【００４１】
　次に、本実施例の作用を説明する。プラントデータ読込み部３は、ＭＴ等の外部記憶媒体または伝送等によりプラントより収集したプラントデータを読み込む。読み込まれたプラントデータは、図１５に示すように、データ名称と信号のデータから構成されている。信号のデータ構成としては、サンプリング周期ΔｔL の時刻ｔ＋ｋΔｔL （ｋ＝０〜ｊ）における信号１〜信号ｉのデータおよびサンプリング周期ΔｔH の時刻ｔ＋ｋΔｔH （ｋ＝０〜ｐ）における信号ｉ＋１〜信号ｉ＋ｈのデータが、各々時刻順に収録されている。ここで、ΔｔL 、ΔｔH は各々低速、高速の信号のサンプリング周期、ｊ、ｐはプラント収集時間分の初回を除くサンプリング回数、ｉ、ｈは信号の点数を示す。この信号のサンプリング周期の例としては、ΔｔL ＝50ミリ秒、ΔｔH ＝10ミリ秒等が用いられる。
【００４２】
　周期速度別プラント解析データ作成部５１は、図１６に示す処理手順に従って、ステップＳ５０１〜Ｓ５０７で、低速のサンプリング周期の各収集時刻に収集された全信号のデータを時刻順に入力し、順次周期速度別プラント解析データファイル５３内の低速プラント解析データへ出力する。ついで、ステップＳ５０９、Ｓ５１０で高速のサンプリング周期の収集開始時刻に収集された信号ｉ＋１のデータを入力し、周期速度別プラント解析データファイル５３内の高速プラント解析データへ出力するとともに、ステップＳ５１１、Ｓ５１２で高速のサンプリング周期の収集時間（ｍΔｔH ）が低速のサンプリング周期の整数倍になっている場合には低速プラント解析データヘも出力する。さらに、ステップＳ５１３〜Ｓ５１６で、信号ｉ＋ｈまでの全信号について上記ステップＳ５０９〜５１２の処理を繰り返した後、この処理を高速のサンプリング周期の全ての収集時刻について繰り返す。
【００４３】
　ここで、ステップＳ５１１，Ｓ５１２の処理を、低速のサンプリング周期ΔｔL ＝50ミリ秒と高速のサンプリング周期ΔｔH ＝10ミリ秒である場合を例に説明すると、ｍΔｔH （ｍ＝０〜ｊ）が 0、50、 100ミリ秒といったΔｔL の整数倍になった場合、低速のサンプリング周期のデータを保存している低速プラント解析データへ信号ｉ＋１〜信号ｉ＋ｈのデータを保存することになり、高速のサンプリング周期の信号ｉ＋１〜信号ｉ＋ｈのデータを低速のサンプリング周期のデータに組み込んでいる。
【００４４】
　周期速度別プラント解析データファイル５３内の低速プラント解析データの構成例を図１７に、高速プラント解析データの構成例を図１８に示す。図１７に示すように、低速プラント解析データは、信号１〜ｉ＋ｈのデータで構成されている。また図１８に示すように、高速プラント解析データは、信号ｉ＋１〜ｉ＋ｈのデータで構成されている。
【００４５】
　本実施例では、以上のように処理が行われるため、グラフ表示等に適したサンプリング周期ごとの速度別プラント解析データを作成することにより、グラフ表示等を高速に行うことができる。
【実施例６】
【００４６】
　図１９は、本発明のプラントデータ解析装置の第６の実施の形態を示すもので、入出力端末６を介してグラフに表示を行う出力信号等の設定、登録等を行う表示ポイント設定部６１と、入力点情報データファイル４と、入力点情報を付加されたプラント解析データを格納するプラント解析データファイル６３と、入出力端末６の対話操作に応じてプラント解析データファイル６３内のプラント解析データに付加された入力点情報データまたは入力点情報データファイル４内に格納された最新入力点情報データから入力点情報を抽出し一覧表示を行う入力点情報選択部６５とが設けられている。
【００４７】
　図２０は、プラント解析データファイル６３に格納される個々のプラント解析データの構成例を示すもので、プラント解析データの名称とともに各収集時刻の信号１〜ｉのデータ列が収録され、その後に信号１〜ｉに対応した入力点情報が付加されている。なお、このような入力点情報が付加されたプラント解析データは、上記実施例３の入力点情報付加部３１または上記実施例４の入力点情報付加部４９等によって作成される。
【００４８】
　次に、本実施の形態の作用を説明する。表示ポイント設定部６１は、入出力端末６からの表示ポイント登録画面表示要求により、図２１に示すような対話画面６０１を入出力端末６に表示する。
【００４９】
　図２１は、グラフ表示等を行う信号を登録する対話画面の一例を示すもので、この対話画面６０１では、入力点情報一覧の表示要求を行う表示ボタン６０２、プラント解析データ一覧の表示要求を行う表示ボタン６０３、入力点情報を一覧表示する表示・選択エリア６０４、プラント解析データ名を一覧表示する表示・選択エリア６０５、登録されたグラフ出力信号（表示ポイント）を表示する登録・表示エリア６０６がある。
【００５０】
　また図２２は、表示ポイント設定部６１および入力点情報選択部６５の処理の流れを示すものである。
【００５１】
　図２１に示す対話画面６０１で、表示ボタン６０２が選択された場合には、表示ポイント設定部６１は入力点情報一覧表示要求を入力点情報選択部６５に通知し、入力点情報選択部６５は、表示ポイント設定部６１からの入力点情報一覧表示要求により入力点情報データァイル４から最新の入力点情報を抽出して、表示ポイント設定部６１に渡して対話画面６０１の入力点情報の表示・選択エリア６０４に最新の入力点情報を一覧表示する（ステップＳ６１１、６１２）。
【００５２】
　また、表示ボタン６０３が選択された場合には、表示ポイント設定部６１は入出力端末６から入力されるプラント解析データ一覧の表示ボタン選択情報に基づいて、プラント解析データファイル６３から格納されたプラント解析データ名を抽出し、表示・選択エリア６０５にプラント解析データ名を一覧表示する（ステップＳ６１６、６１４）。
【００５３】
　この表示・選択エリア６０５に表示されたプラント解析データ名から所望のプラント解析データが選択されると、表示ポイント設定部６１はこの選択されたプラント解析データ名を入力点情報選択部６５に通知し、入力点情報選択部６５はプラント解析データファイル６３から該当するプラント解析データに付加された入力点情報データの入力点情報を読み込み、表示ポイント設定部６１に渡して対話画面６０１の入力点情報の表示・選択エリア６０４に一覧表示する（ステップＳ６１５〜６１７）。
【００５４】
　これにより、グラフ出力信号の登録を行うオペレータは、プラントデータの収集時期に応じた入力点情報を一覧表示し、入力点情報の表示・選択エリア６０４で選択した入力点を、グラフ出力の登録・表示エリア６０６に登録することができる。
【００５５】
　本実施例では、以上のように処理が行われるため、対話操作に応じてプラント解析データに付加された入力点情報または最新入力点情報を使用することができるため、入力点変更が発生した場合にも、過去のプラント解析データのグラフ表示を行うことができる。
【産業上の利用可能性】
【００５６】
　データ解析装置において、プラントデータに限らず、入力点変更が発生した場合に、過去の解析データを任意に使用したり、任意の過去のデータを解析処理したり、あるいは、対話操作に応じて過去の解析データのグラフ表示を行うことができる。
【図面の簡単な説明】
【００５７】
【図１】本発明のプラントデータ解析装置の実施例１を示すブロック図である。
【図２】プラントデータの構成例を示す図である。
【図３】図１に示すプラントデータ構成変換部の処理手順を示すフローチャートである。
【図４】図１に示すプラント解析データファイルのデータ構成例を示す図である。
【図５】本発明のプラントデータ解析装置の実施例２を示すブロック図である。
【図６】図５に示すプラントデータ構成変換部の処理手順を示すフローチャートである。
【図７】図５に示すプラント解析データファイルのデータ構成例を示す図である。
【図８】本発明のプラントデータ解析装置の実施例３を示すブロック図である。
【図９】図８に示す入力点情報付加部の処理手順を示すフローチャートである。
【図１０】図８に示すプラント解析データファイルのデータ構成例を示す図である。
【図１１】本発明のプラントデータ解析装置の実施例４を示すブロック図である。
【図１２】図１１に示す入力点変更履歴データファイルのデータ構成例を示す図である。
【図１３】図１１に示す入力点変更履歴判定部の処理手順を示すフローチャートである。
【図１４】本発明のプラントデータ解析装置の実施例５を示すブロック図である。
【図１５】プラントデータのデータ構成例を示す図である。
【図１６】図１４に示す周期速度別プラント解析データ作成部の処理手順を示すフローチャートである。
【図１７】図１４に示す低速プラント解析データのデータ構成例を示す図である。
【図１８】図１４に示す高速プラント解析データのデータ構成例を示す図である。
【図１９】本発明のプラントデータ解析装置の実施例６を示すブロック図である。
【図２０】図１９に示すプラント解析データファイル内のデータ構成例を示す図である。
【図２１】グラフ表示等を行う信号を登録する対話画面例を示す図である。
【図２２】図２０に示す表示ポント設定部および入力点情報選択部の処理手順を示すフローチャートである。
【図２３】プラントデータ解析装置の従来例を示すブロック図である。
【図２４】プラントデータの構成例を示す図である。
【図２５】入力点情報データファイルのデータ構成例を示す図である。
【図２６】グラフ表示等を行う対話画面例を示す図である。
【図２７】グラフ表示画面例を示す図である
【符号の説明】
【００５８】
２，１３，２３，３３，４７，６３…プラント解析データファイル、３…プラントデータ読込み部、４，４１…入力点情報データファイル、５…データ表示部、６…入出力端末、１１…プラントデータ構成変換部、２１…プラントデータ変換部、３１，４９…入力点情報付加部、３５…入力点情報変更部、４３…入力点変更履歴データファイル、４５…入力点変更履歴判定部、５１…周期速度別プラント解析データ作成部、６１…表示ポイント設定部、６３…プラント解析データファイル、６５…入力点情報選択部。
【図１】
2004070969.tif 000003
【図２】
2004070969.tif 000004
【図３】
2004070969.tif 000005
【図４】
2004070969.tif 000006
【図５】
2004070969.tif 000007
【図６】
2004070969.tif 000008
【図７】
2004070969.tif 000009
【図８】
2004070969.tif 000010
【図９】
2004070969.tif 000011
【図１０】
2004070969.tif 000012
【図１１】
2004070969.tif 000013
【図１２】
2004070969.tif 000014
【図１３】
2004070969.tif 000015
【図１４】
2004070969.tif 000016
【図１５】
2004070969.tif 000017
【図１６】
2004070969.tif 000018
【図１７】
2004070969.tif 000019
【図１８】
2004070969.tif 000020
【図１９】
2004070969.tif 000021
【図２０】
2004070969.tif 000022
【図２１】
2004070969.tif 000023
【図２２】
2004070969.tif 000024
【図２３】
2004070969.tif 000025
【図２４】
2004070969.tif 000026
【図２５】
2004070969.tif 000027
【図２６】
2004070969.tif 000028
【図２７】
2004070969.tif 000029